【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
行方向に延びる少なくとも１つの行感知データ線と、
列方向に延びる少なくとも１つの列感知データ線と、
前記行感知データ線に接続されて、外部からの接触によって第１感知信号を出力する第１感知部と、
前記列感知データ線に接続されて、外部からの接触によって第２感知信号を出力する第２感知部と、
前記行感知データ線と前記列感知データ線に交互にリセット電圧を印加し、前記第１感知信号および前記第２感知信号から感知データ信号を生成する感知信号処理部と、
前記感知データ信号を処理して接触情報を生成する接触判断部と、
を含む表示装置。
【請求項２】
前記第１感知部は、前記行感知データ線に接続されて、外部からの接触によって静電容量が変化する第１可変キャパシタを含み、
前記第２感知部は、前記列感知データ線に接続されて、外部からの接触によって静電容量が変化する第２可変キャパシタを含む、請求項１に記載の表示装置。
【請求項３】
前記感知信号処理部は、第１期間中に前記第１感知信号を処理し、第２期間中に前記行感知データ線に前記リセット電圧を印加する第１出力部と、
前記第２期間中に前記第２感知信号を処理し、前記第１期間中に前記列感知データ線に前記リセット電圧を印加する第２出力部とを含む請求項１または２に記載の表示装置。
【請求項４】
前記行感知データ線と前記列感知データ線によって基準キャパシタが形成され、
前記第１感知信号は、前記第１可変キャパシタと前記基準キャパシタの間の第１接続点電圧と基準電圧との差に基づいて生じさせた第１電流を含み、
前記第２感知信号は、前記第２可変キャパシタと前記基準キャパシタの間の第２接続点電圧と前記基準電圧との差に基づいて生じさせた第２電流を含む、請求項２または３に記載の表示装置。
【請求項５】
前記第１出力部は、前記第１期間中に前記第１電流を積分して第１出力電圧を生成し、
前記第２出力部は、前記第２期間中に前記第２電流を積分して第２出力電圧を生成し、
前記感知信号処理部は、前記第１出力電圧および前記第２出力電圧を処理して、前記感知データ信号を生成する請求項４に記載の表示装置。
【請求項６】
前記第１出力部は、出力端子、反転端子、および、基準電圧が印加される非反転端子を有する第１増幅器と、
前記行感知データ線と前記リセット電圧の間に接続される第１スイッチング素子と、
前記第１増幅器の前記反転端子と前記行感知データ線の間に接続される第２スイッチン
グ素子と、
前記第１増幅器の反転端子と出力端子の間に接続される第１キャパシタと、
前記第１キャパシタに並列に接続される第３スイッチング素子と、を含み、
前記第２出力部は、出力端子、反転端子、および、基準電圧が印加される非反転端子を有する第２増幅器と、
前記列感知データ線と前記リセット電圧の間に接続される第４スイッチング素子と、
前記第２増幅器の反転端子と前記列感知データ線の間に接続される第５スイッチング素子と、
前記第２増幅器の反転端子と出力端子の間に接続される第２キャパシタと、
前記第２キャパシタに並列に接続される第６スイッチング素子と、を含む請求項３〜５のいずれか一項に記載の表示装置。
【請求項７】
前記第１期間中に、前記第２スイッチング素子、前記第４スイッチング素子、および、前記第６スイッチング素子がターンオンし、
前記第２期間中に、前記第１スイッチング素子、前記第３スイッチング素子、および、前記第５スイッチング素子がターンオンする、請求項６に記載の表示装置。
【請求項８】
前記行感知データ線は、第１行感知データ線、第２行感知データ線、および、第３行感知データ線を含み、
前記感知信号処理部は、第１期間中に、前記第１行感知データ線および前記第２行感知データ線からの前記第１感知信号を処理し、第２期間中に、前記第２行感知データ線および第３行感知データ線からの前記第１感知信号を処理する、第１出力部を含む請求項１に記載の表示装置。
【請求項９】
前記列感知データ線は、第１列感知データ線、第２列感知データ線、および、第３列感知データ線を含み、
前記感知信号処理部は、第３期間中に、前記第１列感知データ線および前記第２列感知データ線からの前記第２感知信号を処理し、第４期間中に、前記第２列感知データ線および第３列感知データ線からの前記第２感知信号を処理する、第２出力部をさらに含み、
前記第１出力部は、前記第３期間中および前記第４期間中に前記第１行感知データ線、前記第２行感知データ線、および、前記第３行感知データ線に前記リセット電圧を印加し、
前記第２出力部は、前記第１期間中および前記第２期間中に前記第１列感知データ線、前記第２列感知データ線、および、前記第３列感知データ線に前記リセット電圧を印加する、請求項８に記載の表示装置。
【請求項１０】
前記行感知データ線と前記列感知データ線により基準キャパシタが形成され、
前記第１感知信号は、前記第１可変キャパシタと前記基準キャパシタの間の第１接続点電圧と基準電圧との差に基づいて生じさせた電流を含む、請求項８または９に記載の表示装置。
【請求項１１】
前記第１出力部は、前記第１期間中に前記電流を積分して第１出力電圧を生成し、前記第２期間中に前記電流を積分して第２出力電圧を生成し、
前記感知信号処理部は、前記第１出力電圧および前記第２出力電圧を処理して、前記感知データ信号を生成する請求項８〜１０のいずれか一項に記載の表示装置。
【請求項１２】
前記第１出力電圧が前記第２出力電圧より高い場合、前記接触判断部は、前記第１行感知データ線および第２行感知データ線に基づいて接触位置を決定する、請求項１１に記載の表示装置。
【請求項１３】
前記行感知データ線、前記列感知データ線、前記第１感知部、および、前記第２感知部は、タッチスクリーンパネルに形成され、
前記タッチスクリーンパネルと対向し、画像を表示する表示板部をさらに含む、請求項１〜１２のいずれか一項に記載の表示装置。
【請求項１４】
使用者が触れることができる第１面およびその反対側の第２面を有する絶縁体と、
前記絶縁体の前記第２面上に形成され、第１方向に延びる複数の第１感知信号線と、
前記絶縁体の前記第２面上に形成され、第２方向に延びる複数の第２感知信号線と、
前記第１感知信号線および前記第２感知信号線に交互にリセット電圧を印加し、前記第１感知信号線に流れる第１感知信号および前記第２感知信号線に流れる第２感知信号によって感知データ信号を生成する感知信号処理部と、
前記感知データ信号を処理して接触情報を生成する接触判断部と、を含み、
前記第１感知信号線は、それぞれ複数の第１感知電極と、前記第１感知電極同士を接続し、前記第１感知電極より小さい幅の複数の第１連結部と、を含み、
前記第２感知信号線は、それぞれ前記第１感知電極と隣接する複数の第２感知電極と、
前記第２感知電極同士を連結し、前記第１連結部と交差し前記第２感知電極より小さい幅の複数の第２連結部と、を含み、
前記感知信号処理部は、前記第１感知信号線に前記リセット電圧が印加され、前記第２感知信号線がフローティング状態の間に前記第２感知信号を受信し、
前記第２感知信号線に前記リセット電圧が印加され、前記第１感知信号線がフローティング状態の間に前記第１感知信号を受信する表示装置。
【請求項１５】
前記第１感知電極および前記第２感知電極は菱形の形状を有し、
前記第１感知電極および前記第２感知電極は、前記絶縁体の前記第２面上の第３方向に交互に配置されており、
前記第２連結部は、前記第２感知電極の前記菱形の頂点を連結する、請求項１４に記載の表示装置。
【請求項１６】
それぞれの第１感知電極とこれに隣接した第２感知電極は、基準キャパシタを構成する、請求項１４または１５に記載の表示装置。
【請求項１７】
前記第１感知電極および前記第２感知電極は、前記絶縁体の前記第１面に接触した接触物とキャパシタを構成する、請求項１４〜１６のいずれか一項に記載の表示装置。
【請求項１８】
行方向に延びる少なくとも１つの行感知データ線と、列方向に延びる少なくとも１つの列感知データ線と、を含む表示装置の駆動方法であって、
第１期間中、前記列感知データ線にリセット電圧を印加する段階と、
前記第１期間中に外部からの接触によって前記行感知データ線を介して出力される第１感知信号を処理して第１出力電圧を生成する段階と、
第２期間中、前記行感知データ線に前記リセット電圧を印加する段階と、
前記第２期間中に外部からの接触によって前記列感知データ線を介して出力される第２感知信号を処理して第２出力電圧を生成する段階と、
前記第１出力電圧および第２出力電圧を処理して感知データ信号を生成する段階と、
前記感知データ信号から接触情報を生成する段階と、
を含む表示装置の駆動方法。
【請求項１９】
前記第１出力電圧生成段階は、外部からの接触によって前記行感知データ線に接続される第１可変キャパシタの静電容量が変化する段階を含み、
前記第２出力電圧生成段階は、外部からの接触によって前記列感知データ線に接続される第２可変キャパシタの静電容量が変化する段階を含む、請求項１８に記載の表示装置の駆動方法。
【請求項２０】
前記行感知データ線と前記列感知データ線により基準キャパシタが形成され、
前記第１感知信号は、前記第１可変キャパシタと前記基準キャパシタの間の接続点電圧と基準電圧との差に基づいて生じさせた第１電流を含み、
前記第２感知信号は、前記第２可変キャパシタと前記基準キャパシタの間の接続点電圧と基準電圧との差に基づいて生じさせた第２電流を含む、請求項１９に記載の表示装置の駆動方法。
【請求項２１】
前記第１出力電圧生成段階は、前記第１電流を積分して前記第１出力電圧を生成する段階をさらに含み、
前記第２出力電圧生成段階は、前記第２電流を積分して前記第２出力電圧を生成する段階をさらに含む、請求項２０に記載の表示装置の駆動方法。
【請求項２２】
前記行感知データ線は、第１行感知データ線、第２行感知データ線、および、第３行感知データ線を含み、
前記第１出力電圧生成段階は、前記第１期間内における第３期間中に、前記第１行感知データ線および前記第２行感知データ線からの前記第１感知信号を処理し、前記第１出力電圧を生成する段階と、
前記第１期間内における第４期間中に、前記第２行感知データ線および前記第３行感知データ線からの前記第１感知信号を処理し、前記第１出力電圧を生成する段階と、をさらに含む、請求項１８〜２０のいずれか一項に記載の表示装置の駆動方法。
【請求項２３】
前記接触情報を生成する段階は、前記第３期間の前記第１出力電圧と、前記第４期間の前記第１出力電圧とを比較して、前記接触情報を生成する段階を含む、請求項２２に記載の表示装置の駆動方法。
【請求項２４】
前記接触情報を生成する段階は、前記第３期間の前記第１出力電圧が前記第４期間の前記第１出力電圧より高い場合、前記第１行感知データ線および前記第２行感知データ線に基づいて前記接触情報を生成する段階をさらに含む、請求項２３に記載の表示装置の駆動方法。
【請求項２５】
前記列感知データ線は、第１列感知データ線、第２列感知データ線、および、第３列感知データ線を含み、
前記第２出力電圧生成段階は、前記第２期間内における第３期間中に、前記第１列感知データ線および前記第２列感知データ線からの前記第１感知信号を処理し、前記第２出力電圧を生成する段階と、
前記第２期間内における第４期間中に、前記第２列感知データ線および前記第３列感知データ線からの前記第１感知信号を処理し、前記第２出力電圧を生成する段階と、をさらに含み、
前記接触情報を生成する段階は、前記第３期間の前記第２出力電圧と前記第４期間の前記第２出力電圧とを比較して、前記接触情報を生成する段階を含む、請求項１８〜２０のいずれか一項に記載の表示装置の駆動方法。